(57)【要約】【課題】    時間や天候に係わらず、携帯型電子機器等に電源を供給して、使用しまたは充電することができ、容易に携帯できる携帯用の電源装置等を提供する。【解決手段】    システム手帳１には、リフィル４とともに、リフィル型電源５が綴じこまれている。リフィル型電源５の本体５ａには、その一側縁部に、バインダー部２の綴り輪２ｂに綴じこんで保持するための保持部５ｂが形成される。リフィル型電源５の本体５ａは、扁平形状の二次電池６と、前記二次電池６を充電する充電回路７と、前記二次電池６の電圧を出力する出力回路８とを、図示しない樹脂製のプリント基板に組みつけてなる電源ユニット９を備え、さらに充電端子１１と出力端子１２を備える。使用者は、リフィル型電源５の二次電池６を充電しておき、電子機器の内蔵電池が消耗したときに出力端子１２に接続して電子機器を駆動または充電する。【選択図】図１
2013080574.tif 000002
【特許請求の範囲】
【請求項１】
扁平形状の二次電池と、
前記二次電池をホルダで保持するための保持部と
を備えたことを特徴とする電源装置。
【請求項２】
請求項１記載の電源装置において、
前記保持部には、ホルダで保持するための綴じ穴が形成されたことを特徴とする電源装置。
【請求項３】
請求項２記載の電源装置において、
前記二次電池は樹脂製の外装にて覆われ、前記保持部も樹脂にて形成されていることを特徴とする電源装置。
【請求項４】
請求項１乃至３のいずれかに記載の電源装置であって、
前記電源装置が、充電および／または放電用の回路を備えたことを特徴とする電源装置。
【請求項５】
請求項１乃至４のいずれかに記載の電源装置と、
前記電源装置を保持するホルダとを備えたことを特徴とするシステム手帳。
【請求項６】
請求項５記載のシステム手帳であって、
前記電源装置が、充電および／または放電用の端子を備えるとともに、
当該端子に接続する接続線を備えたことを特徴とするシステム手帳。
【請求項７】
請求項６記載のシステム手帳であって、
前記接続線を保持する接続線保持部が設けられたことを特徴とするシステム手帳。
【請求項８】
請求項５乃至７のいずれかに記載のシステム手帳であって、
光起電力パネルを供え、該光起電力パネルから前記二次電池を充電可能とされていることを特徴とするシステム手帳。
【請求項９】
物品を覆うためのカバー本体と、
前記カバー本体に内蔵された扁平形状の二次電池と、
を備えたことを特徴とする物品カバー。
【発明の詳細な説明】
【技術分野】
【０００１】
この発明は、電源装置に関し、さらに詳しくは、携帯型の電子機器の使用や充電に用いる携帯用の電源装置と、その電源装置を備えたシステム手帳、ならびに物品カバーに関する。
【背景技術】
【０００２】
近年、携帯電話、携帯型音楽プレーヤ、携帯型電子情報端末等の携帯型電子機器が普及しているが、それらの電源としては二次電池を用いたものが多い。そして、それらを使用中に内蔵している二次電池が消耗してしまった場合、当該二次電池を充電済みの新しい二次電池と交換すればよい。
【０００３】
しかしながら、それらの二次電池は単３等の汎用品ではなく電子機器ごとの形状を呈しまた電圧等の特性も異なる専用電池であることが多く、携帯電話と携帯型音楽プレーヤなど複数の機器を所持する場合にはそれぞれにあった専用電池を用意しなければならず、携帯も面倒であった。またもともとそれらの二次電池を本体内に固定的に内蔵したものもあり、その場合には外出先等での二次電池交換は事実上困難であり、その場合には二次電池を充電しなければならず、商用電源を利用できない外出先での充電は困難であった。
【０００４】
例えば特許文献１においては、太陽電池を用いて携帯電話等を充電することも提案されているが、この場合には夜間や曇天時の使用は不可能であった。
【先行技術文献】
【特許文献】
【０００５】
【特許文献１】特開平９−２１５３５８号公報
【発明の概要】
【発明が解決しようとする課題】
【０００６】
この発明は、以上のような事情に鑑みてなされたものであり、時間や天候に係わらず、携帯型電子機器等に電源を供給して、使用しまたは充電することができ、また容易に携帯できる携帯用の電源装置等を提供することを目的とする。
【課題を解決するための手段】
【０００７】
請求項１に係る発明は、扁平形状の二次電池と、前記二次電池をホルダで保持するための保持部とを備えたことを特徴とする電源装置である。
【０００８】
請求項２に係る発明は、請求項１記載の電源装置において、前記保持部には、ホルダで保持するための綴じ穴が形成されたことを特徴とする。
【０００９】
請求項３に係る発明は、請求項２記載の電源装置において、前記二次電池は樹脂製の外装にて覆われ、前記保持部も樹脂にて形成されていることを特徴とする。
【００１０】
請求項４に係る発明は、請求項１乃至３のいずれかに記載の電源装置であって、前記電源装置が、充電および／または放電用の回路を備えたことを特徴とする。
【００１１】
請求項５に係る発明は、請求項１乃至４のいずれかに記載の電源装置と、前記電源装置を保持するホルダとを備えたことを特徴とするシステム手帳である。
【００１２】
請求項６に係る発明は、請求項５記載のシステム手帳であって、前記電源装置が、充電および／または放電用の端子を備えるとともに、当該端子に接続する接続線を備えたことを特徴とする。
【００１３】
請求項７に係る発明は、請求項６記載のシステム手帳であって、前記接続線を保持する接続線保持部が設けられたことを特徴とする。
【００１４】
請求項８に係る発明は、請求項５乃至７のいずれかに記載のシステム手帳であって、光起電力パネルを供え、該光起電力パネルから前記二次電池を充電可能とされていることを特徴とする。
【００１５】
請求項９に係る発明は、物品を覆うためのカバー本体と、前記カバー本体に内蔵された扁平形状の二次電池と、を備えたことを特徴とする物品カバーである。
【発明の効果】
【００１６】
請求項１乃至４に係る発明によれば、時間や天候に係わらず、携帯型電子機器等に電源を供給して、使用しまたは充電することができ、また容易に携帯できる携帯用の電源装置を提供できる。
【００１７】
請求項５乃至７に係る発明によれば、時間や天候に係わらず、携帯型電子機器等に電源を供給して、使用しまたは充電することができ、また容易に携帯できる携帯用のシステム手帳を提供できる。
【００１８】
請求項８に係る発明によれば、システム手帳に備えた光起電力パネルによって、そのシステム手帳等に備えられた電源装置の二次電池を充電したり他の機器に給電することができる。
【００１９】
請求項９に係る発明によれば、時間や天候に係わらず、携帯型電子機器等に電源を供給して、使用しまたは充電することができ、また容易に携帯できる携帯用の物品カバーを提供できる。
【図面の簡単な説明】
【００２０】
【図１】この発明の第一の実施形態であるシステム手帳を示す斜視図である。
【図２】この発明の第二の実施形態であるシステム手帳を示す斜視図である。
【図３】この発明の第三の実施形態である物品カバーを示す斜視図である。
【発明を実施するための形態】
【００２１】
＜＜第一の実施の形態＞＞
【００２２】
以下、この発明の好適な実施形態について図面を参照して説明する。図１は、この発明の第一の実施形態であるシステム手帳の斜視図である。図１において、システム手帳１は、操作金具２ａを操作することにより開閉可能な綴り輪２ｂが取り付けられたバインダー部２を備え、綴り輪２ｂにメモ用紙のリフィル４を綴じこんで構成される。リフィル４は縦１７０ｍｍ、横９５ｍｍである。綴り輪２ｂにはメモ用紙のリフィル４とともに、リフィル型電源５が綴じこまれている。バインダー部２は綴り輪２ｂによってリフィル４とリフィル型電源５を綴じこんで保持するホルダでもある。またシステム手帳１には、バインダー部２を閉じた状態で留めておくための留め部３が設けられる
【００２３】
リフィル型電源５の本体５ａは、扁平形状で厚みが十分に薄い、例えば厚み２〜５ｍｍ程度の二次電池６と、前記二次電池６を充電する充電回路７と、前記二次電池６の電圧を出力する出力回路８とを、図示しない樹脂製のプリント基板に組みつけてなる電源ユニット９を、樹脂製の外装１０で覆って形成されている。
【００２４】
前記二次電池６は、例えばリチウムイオン二次電池であって、定格電圧３．７Ｖ、定格容量２〜４Ａｈ程度のものを使用する。
【００２５】
前記充電回路７は、充電端子１１に接続した外部電源から二次電池６を充電するものである。前記出力回路８は、出力端子１２に接続した外部の電子機器に対して前記二次電池６が放電して供給する電力を、その電子機器に適合した電圧に変換して供給するもので、かかる電力によりその電子機器を使用しまたは電子機器の内蔵電池を充電することができる。充電端子１１と出力端子１２とは、リフィル型電源５の側面、すなわちリフィル型電源５の厚み方向の端面に形成され、システム手帳１を閉じた状態でもその端面にある充電端子１１に外部電源を接続して二次電池６を充電したり、出力端子１２に電子機器を接続してその電子機器に電源を供給したりすることができる。リフィル型電源５の厚み方向の端面には、充電端子１１の近傍に充電中であることを表示するＬＥＤインジケータ１３が、出力端子１２の近傍には二次電池６の残容量をその点灯、点滅状態で表示するＬＥＤインジケータ１４が、それぞれ設けられている。これらＬＥＤインジケータ１３，１４も、システム手帳１を閉じた状態でもその端面方向から視認でき、その動作状態を確認できる。
【００２６】
リフィル型電源５の本体５ａには、その一側縁部に、バインダー部２の綴り輪２ｂに綴じこんで保持するための保持部５ｂが形成される。保持部は前記プリント基板の端部の両面を樹脂で固めて必要な幅と強度と厚みを持たせ、綴り輪２ｂに綴じこむための複数の綴じ穴５ｃを形成してある。
【００２７】
システム手帳１には、前記充電端子１１および前記出力端子１２に接続するための接続線１５が備えられる。接続線１５には前記充電端子１１および前記出力端子１２に接続可能な端子１６と、電源供給対象となる電子機器または外部電源に接続するための端子１７とが取り付けられる。またシステム手帳１のバインダー部２の表紙部２ｃの内側側部に沿って、図示しない筆記具等を挟み込んで保持させることができる保持部１８が２箇所に取り付けられている。保持部１８は筆記具等を保持するための強度と弾性を有する金属または樹脂等の素材からなる。端子１６、１７は前記保持部１８に係合可能な形状に形成されており、接続線１５を保持部１８に取り付けてシステム手帳１とともに携帯することが容易にできるようになっている。
【００２８】
而して、システム手帳１の使用者は、リフィル型電源５の充電端子１１に接続線１５を接続し、図示しないＡＣアダプタあるいはパソコンのＵＳＢ端子などから電源をとって二次電池６を充電しておく。二次電池６の充電は、リフィル型電源５をシステム手帳１から取り外した状態で行なってもよいが、システム手帳１に綴じこんでシステム手帳１を閉じた状態であっても充電端子１１に接続線１５を接続して充電可能であり、ＬＥＤインジケータ１３の点灯を視認して充電が正常に行なわれていることを確認することもできる。そして外出時等にあっては、システム手帳１に充電済のリフィル型電源５を１つまたは必要に応じて複数を綴り輪２ｂに綴じ込み、また前記端子１６、１７を表紙部２ｃの内側の保持部１８に挟んで係合させて接続線１５を取り付けて携帯する。そして、携帯電話などの電子機器の内蔵電池が消耗したときには、出力端子１２に接続線１５の端子１６を接続し、端子１７を電子機器に接続して、リフィル型電源５の二次電池６の電力を用いて当該電子機器を駆動したりまた当該電子機器に内蔵されている内蔵電池を充電したりすることができる。リフィル型電源５に内蔵されている二次電池６は携帯電話等に内蔵されている二次電池と比べて十分に容量が大きく、外出先等でも複数の電子機器用電源として安心して使用できるが、複数のリフィル型電源５をシステム手帳１に綴じこんでおくことで、さらに大容量の電源を容易に携帯することができる。
【００２９】
＜＜第二の実施の形態＞＞
【００３０】
以下、この発明の第二の実施形態について説明する。図２は、この発明の第二の実施形態であるシステム手帳の斜視図である。以下、第一の実施形態と同一または対応する部分には同一符号を付し、説明は省略する。
【００３１】
システム手帳１の表紙部２ｃの外側には、光起電力パネルとして、いわゆる太陽電池２０が取り付けられている。太陽電池２０はその受光面を外側に向けて露出された状態で表紙部２ｃに内蔵されている。また表紙部２ｃの内側には出力端子２１が取り付けられ、出力端子２１は太陽電池２０が発生する起電力を出力可能となるよう適宜の回路によって接続されている。
【００３２】
そして、システム手帳１の使用者は、リフィル型電源５の充電端子１１と出力端子２１とを接続線１５により接続し、その状態でシステム手帳１を閉じて表紙部２ｃに設置された太陽電池２０に日光等を入射させることにより、太陽電池２０の出力でリフィル型電源５を充電することができる。これにより、外出先等でもリフィル型電源５を充電することが可能となる。また、２つ以上のリフィル型電源５をシステム手帳１に綴じこんでおき、使用済のリフィル型電源５を太陽電池２０により充電しつつ、他のリフィル型電源５を用いて携帯電話等の電子機器を使用あるいは充電することができる。この場合、太陽電池２０の出力電流だけでは駆動できない電子機器をリフィル型電源５を用いて駆動しつつ、同時に他のリフィル型電源５を充電しておくことができる。もちろん、この太陽電池２０の出力は、リフィル型電源５の充電以外の用途にももちいることができる。
【００３３】
＜＜第三の実施の形態＞＞
【００３４】
以下、この発明の第三の実施形態について説明する。図３は、この発明の第三の実施形態である物品カバーの斜視図である。以下、第一の実施形態と同一または対応する部分には同一符号を付し、説明は省略する。
【００３５】
ブックカバー３０は、布または軟質樹脂製のカバー本体３０ａと、カバー本体３０ａに内蔵される電源ユニット９とからなる。カバー本体３０ａは略長方形で、その両側には書籍３１の表紙３１ａを挟み込んで保持するポケット３２が形成されている。カバー本体３０ａの片側は二重構造になっており、二重部分を開閉するためのファスナー３３が設けられ、ファスナー３３を開くことで二重構造のカバー本体３０ａの間に電源ユニット９が収納される。またカバー本体３０ａの内側には、電源ユニット９の充電端子１１および出力端子１２を露出させる開口３４が設けられ、接続線１５を接続することができる。なお、図３において、書籍３１の表紙３１ａの一部を切欠して示している。
【００３６】
なお、この第三の実施形態においても、第二の実施形態のように、カバー本体３０ａの外側に、光起電力パネルとしての太陽電池２０を臨ませて取り付けて、電源ユニット９の二次電池（図示せず）を充電できるようにしてもよい。また、書籍３１以外の物品のカバーとして製作、使用してもよい。
【００３７】
＜＜変形例＞＞
【００３８】
以上、この発明の実施形態について説明したが、この発明は他の形態に変形して実施することもできる。
【００３９】
例えば、充電回路７および充電端子１１に代えて、コイルなどを用いて電磁的に外部電源が供給される充電回路を用いてもよい。また出力回路８と出力端子１２についても同様に、二次電池６が放電する電力をコイルなどを用いて電磁的に外部に供給するものであってもよい。充電端子１１、出力端子１２、ＬＥＤインジケータ１３、１４は、例えばリフィル型電源５の上端面や下端面に設けてもよく、リフィル型電源５の厚み方向の端面であればシステム手帳１を閉じたときにも使用可能また視認可能であり望ましいが、他の場所であってもよい。また、充電端子１１と出力端子１２を個別に設けるのではなく、充放電共通の端子としてもよい。
【符号の説明】
【００４０】
１  システム手帳
２  バインダー部
２ａ  操作金具
２ｂ  綴り輪
２ｃ  表紙部
５  リフィル型電源
５ａ  本体
５ｂ  保持部
５ｃ  綴じ穴
６  二次電池
７  充電回路
８  出力回路
９  電源ユニット
１０  外装
１１  充電端子
１２  出力端子
２０  太陽電池
３０  ブックカバー
３１  書籍
【図１】
2013080574.tif 000003
【図２】
2013080574.tif 000004
【図３】
2013080574.tif 000005